(57)【要約】【課題】外壁タイルの簡単な補修方法を提供する。【解決手段】タイルの補修方法は、建物の外壁からタイル１０を剥ぎ取った後にできるタイル跡２７に充填材２８と中間タイル２９を充填したのち、中間タイル２９の上に充填材３０を介して補修タイル３１を貼り付ける。この場合、厚みの異なる複数の中間タイルを用意し、タイル跡２７の深さに応じて、タイル跡２７に充填する中間タイルを選択する。【選択図】図１０
2013129966.tif 000002
【特許請求の範囲】
【請求項１】
タイルの補修方法であって、
建物の外壁からタイル（１０）を剥ぎ取った後にできるタイル跡（２７）に充填材（２８）と中間タイル（２９）を充填したのち、前記中間タイル（２９）の上に充填材（３０）を介して補修タイル（３１）を貼り付けることを特徴とするタイルの補修方法。
【請求項２】
厚みの異なる複数の中間タイル（２９）を用意し、タイル跡（２７）の深さに応じて、タイル跡（２７）に充填する中間タイルを選択することを特徴とする請求項１のタイルの補修方法。
【発明の詳細な説明】
【技術分野】
【０００１】
本発明は、タイルを補修する方法に関する。
【背景技術】
【０００２】
建物の外壁タイルは、通常、建物の躯体（例えば、コンクリート）にモルタル（下地モルタル、敷モルタル、張付モルタル）を介して接着される。また、隣接するタイル間の隙間は、目地モルタルによって埋められる。したがって、施工後は見た目にも綺麗な外壁を構成している。
【０００３】
しかし、目地材の経年劣化や壁面に作用する鉛直方向の荷重等により、目地部やタイルにクラックが発生し、それが更に発展するとタイルの背後にいわゆる“浮き”（剥離）を形成する。また、施工時における、躯体とモルタル、モルタル同士、モルタルとタイルの接着不要によっても、それらの境界に浮きが発生し得る。
【０００４】
ただし、目地部やタイルにクラックが発生したからといって、そのこと自体がすぐにタイルの崩落に繋がる可能性は極めて低い。しかし、クラックを通じてタイル背後の浮きに侵入した水は、躯体コンクリートの鉄筋を腐食し、構造物の耐久性を著しく低下させる原因になる。また、地震等の外力を受けたときに浮きタイルが崩落すること十分に考えられる。
【０００５】
そこで、従来、外壁タイルをハンマー等で打診し、その反響音をもってタイルの浮きを確認することが行われている。また、赤外線カメラを用いてタイルの浮きを確認する手法が特許文献１に開示されている。
【先行技術文献】
【特許文献】
【０００６】
【特許文献１】特開平０５−３１２７４５号公報
【０００７】
しかし、本発明者らが行った実験によれば、打診または赤外線カメラを使って浮きが確認されたタイルについて、その周辺目地部にカッターで切り込みを入れた後、タイルに垂直な力を加えることによって剥ぎ取ったところ、確かにタイル背後に浮きが存在することは確認されたが、その大きさや発生箇所は様々であった。具体的に、大きさについては、浮きがタイル全体に広がっているものよりも、タイル背後の一部領域に浮きが発生しているものが多かった。また、発生箇所については、タイル裏足、裏足間のタイル背面とモルタルとの境界、または塗り重ねたモルタルの境界に浮きが見られた。そのため、タイルの剥ぎ取りに要した力もばらばらで、例えば、全面にわたって浮きが存在したタイルの剥ぎ取り力はほぼゼロであったが、タイル背後に部分的にのみ浮きが存在したタイルの剥ぎ取り力は浮きの面積等に応じて異なり、相当な割合のタイルは十分に自立できる程度の接着力（例えば、剥ぎ取り力が０．４Ｎ／ｍｍ２以上）を有していた。
【０００８】
また、本発明者らが行った別の研究によれば、外壁タイルは、縦方向及び横方向に連続した一群のタイルについて、それを囲む縦方向と横方向に連続した格子状のクラックが発生した場合に崩落の危険が高く、単に縦方向又は横方向のクラックが存在するだけでは容易に崩落するものでない、ことが確認された。
【発明の概要】
【発明が解決しようとする課題】
【０００９】
そこで、本発明は、例えば建物の外壁等に利用されているタイルを簡単に補修できる方法を提供することを目的とする。
【課題を解決するための手段】
【００１０】
この目的を達成するために、本発明に係るタイルの補修方法は、建物の外壁からタイル１０を剥ぎ取った後にできるタイル跡２７に充填材２８と中間タイル２９を充填したのち、中間タイル２９の上に充填材３０を介して補修タイル３１を貼り付ける。この場合、厚みの異なる複数の中間タイルを用意し、タイル跡２７の深さに応じて、タイル跡２７に充填する中間タイルを選択することが好ましい。
【発明の効果】
【００１１】
このようなタイルの補修方法によれば、剥ぎ取ったタイルの後にできたタイル跡（ボイド）の大部分をモルタル又は接着剤で埋める必要が無い。そのため、充填材の乾燥に要する時間が大幅に減少し、施工時間が短縮される。
【図面の簡単な説明】
【００１２】
【図１】本発明に係るタイル補修方法の工程を示す図。
【図２】外壁タイル上に確認された浮き領域を示す図。
【図３】外壁タイルの断面図で浮きの位置を例示する図。
【図４】浮き領域に設定されたタイルラインを示す図。
【図５】縦方向タイルラインに沿ったタイルの安全度を示す図。
【図６】縦方向と横方向のタイルラインに沿ったタイルの安全度を示す図。
【図７】タイルの断面を示す図。
【図８】タイルの剥ぎ取りを説明する図。
【図９】タイルを剥ぎ取った状態を示す図。
【図１０】タイルの補修プロセスを示す図。
【図１１】中間タイルの断面図。
【図１２】縦方向タイルベルトを示す図。
【図１３】横方向タイルベルトを示す図。
【図１４】縦方向と横方向のタイルベルトを組み合わせた図。
【図１５】浮き領域に形成されたタイルベルトを示す図。
【発明を実施するための形態】
【００１３】
以下、添付図面を参照して本発明の外壁タイル補修方法を説明する。
【００１４】
図１は、本発明に係る外壁タイル補修方法の工程図である。図示するように、本発明の外壁タイル補修方法は、概略、診断工程と補修工程からなる。
【００１５】
診断工程は、建物の外壁タイルに剥離箇所（浮き）が有るか否か確認するもので、一般的には、例えば、打診法（直接診断法）、赤外線法（間接診断法）によって行われる。打診法は、建物の外壁に沿って組み立てた足場、建物の屋上から吊り下げたスカイチェア若しくはゴンドラ、又は高所作業車に取り付けたゴンドラに乗った作業員が一枚一枚のタイルをハンマー等の専用工具で打診してその反響音からタイルの浮きを確認するものである。赤外線法は、建物の外壁を赤外線カメラで撮影し、外壁の浮き（外壁の背後に存在する空隙、水等の存在）を原因とするタイル表面の温度差情報からタイルの浮きを確認するものである。
【００１６】
図２は、タイル１０で被覆された建物外壁Ｗの一部を示し、そこには診断工程で剥離箇所（浮き）が確認された浮きタイル１１が網点で表示してあり、それら浮きタイル１１を囲む浮き領域１２が実線で囲って示してある。なお、説明を簡略化するために、浮き領域１２は長方形で表されているが、実際の浮き領域は種々の形状となって表れる。
【００１７】
浮きの大きさ（二次元の広がり）は様々である。例えば、図３に示すように、タイル（一枚のタイル）全域に亘って存在する浮き１３ａもあれば、タイルの一部領域に存在する浮き１３ｂ、１３ｃ、１３ｄもある。浮きが発生する箇所も様々で、浮きは、タイル１０とモルタル（張付モルタル１４）との境界（符号１３ｂ、１３ｃで示す浮き）、張付モルタル１４と下地モルタル１５の境界（符号１３ｄで示す浮き）、モルタル（下地モルタル１５）とコンクリートの躯体１６との境界（符号１３ａで示す浮き）に発生する。
【００１８】
補修工程は、浮き領域１２に含まれるすべてのタイルを補修するのではなく、以下に説明するルールにしたがって選択されたタイルについてのみ行う。
【００１９】
まず、図４、５に示すように、水平方向に関して浮き領域１２の中央又はほぼ中央に位置する縦方向タイルライン５１のタイルＴ（１，７）〜Ｔ（１１，７）に関して、補修タイル決定ルールにしたがって、補修すべきタイルを決定する。具体的には、まず、縦方向タイルライン５１について、補修方向（順次タイルを補修する方向）を下方向とするとともに上端のタイルＴ（１，７）を補修対象タイルとし、この補修対象タイルを剥ぎ取ってそのときに要した剥取力を計測する。次に、計測された剥取力を、予め決めた基準値（付着強度）と比較し、剥ぎ取った補修対象タイルの安全度を判断する。例えば、２つの基準値として、第１基準値：０．４Ｎ／ｍｍ２、第２基準値：１．０Ｎ／ｍｍ２を設定し、剥取力が０．４Ｎ／ｍｍ２未満のタイルを“安全度が低いタイル”、剥取力が０．４Ｎ／ｍｍ２以上で且つ１．０Ｎ／ｍｍ２未満のタイルを“安全度が中位のタイル”、剥取力が１．０Ｎ／ｍｍ２以上タイルを“安全度が高いタイル”とする。図５、６には、“安全度が低いタイル”が符号「×」、“安全度が中位のタイル”が符号「△」、“安全度が高いタイル”が「○」で示してある。
【００２０】
次に補修すべきタイルは上述の安全度をもとに決定する。例えば、補修対象タイルＴ（１，７）が“安全度が低いタイル”の場合、補修方向（下方向）に関して補修対象タイルＴ（１，７）に隣接するタイルＴ（２，７）を次に補修すべきタイルとする。また、補修対象タイルＴ（１，７）が“安全度が中位のタイル”の場合、補修方向に関して補修対象タイルＴ（１，７）から２番目のタイルＴ（３，７）を次に補修すべきタイルとする。さらに、補修対象タイルＴ（１，７）が“安全度が高いタイル”の場合、補修方向に関して補修対象タイルＴ（１，７）から３番目のタイルＴ（４，７）を次に補修すべきタイルとする。
【００２１】
図５に示す例では、最初の補修対象タイルＴ（１，７）が“安全度の高いタイル”「○」であるから、次の補修対象タイルはＴ（４，７）である。また、補修対象タイルＴ（４，７）の剥取力が０．４Ｎ／ｍｍ２未満の場合（「×」）、次の補修対象タイルはＴ（４，７）に隣接するＴ（５，７）である。同様に、補修対象タイルＴ（５，７）の剥取力が０．４Ｎ／ｍｍ２未満の場合（「×」）、次の補修対象タイルはＴ（５，７）に隣接するＴ（６，７）である。そして、補修対象タイルＴ（６，７）の剥取力が０．４Ｎ／ｍｍ２以上で且つ１．０Ｎ／ｍｍ２未満の場合（「△」）、次の補修対象タイルはＴ（６，７）から下２番目のＴ（８，７）である。同様に、補修対象タイルＴ（８，７）の剥取力が０．４Ｎ／ｍｍ２以上で且つ１．０Ｎ／ｍｍ２未満の場合（「△」）、次の補修対象タイルはＴ（８，７）から下２番目のＴ（１０，７）である。
【００２２】
このようにして、縦方向タイルライン５１について補修を完了する。
【００２３】
次に、図４に示すように、浮き領域１２の横方向タイルライン５２のタイルＴ（６，１）〜Ｔ（６，１３）について、上述と同様の補修タイル決定ルールにしたがって、補修すべきタイルを決定する。なお、縦方向タイルライン５１の補修タイル決定ルールと違う点は、横方向タイルライン５２では補修対象タイルを決定する方向が水平方向である点である。
【００２４】
具体的には、横方向タイルライン５２について、補修方向（順次タイルを補修する方向）を右方向とするとともに左端タイルＴ（６，１）を最初の補修対象タイルとし、この補修対象タイルを剥ぎ取ってそのときに要した剥取力を計測する。次に、計測された剥取力を基準値（第１基準値：０．４Ｎ／ｍｍ２、第２基準値：１．０Ｎ／ｍｍ２）と比較し、剥ぎ取った補修対象タイルの安全度を判断する。安全度の基準は上述の通りである。なお、ここでの説明では、横方向タイルライン５２の補修方向を右方向としたが、逆に左方向としてもよい。
【００２５】
例えば、図６に示すように、補修対象タイルＴ（６，１）が“安全度が中位のタイル”の場合、補修方向（右方向）に関して補修対象タイルＴ（６，１）から２番目のタイルＴ（６，３）を次に補修すべきタイルとする。次に、タイルＴ（６，３）が“安全度が中位のタイル”の場合、タイルＴ（６，３）から右に２番目のタイルＴ（６，５）を次に補修すべきタイルとする。さらに、タイルＴ（６，５）が“安全度の低いタイル”の場合、補修方向に関してタイルＴ（６，５）に隣接するタイルＴ（６，６）を次に補修すべきタイルとする。
【００２６】
このようにして、横方向タイルライン５２について補修を完了する。
【００２７】
最後に、図４に示すように、縦方向タイルライン５１と横方向タイルライン５２によって区画された上下左右の４つの領域（タイルライン５１と５２をそれぞれＸ，Ｙ軸としたときの第１〜第４象限）５３〜５６に補修対象タイルを設定する。ここでの補修対象タイルの設定は、区画領域５３〜５６の大きさに応じて決定することができる。例えば、図示するように、浮き領域１２が縦１１行×横１３列のタイルマトリックスで構成される場合、各区画領域に設定される補修対象タイルは少なくとも一つ有ればよい（例えば、Ｔ（３，１０）、Ｔ（３，４）、Ｔ（９，４）、Ｔ（９，１０））。
【００２８】
個々のタイルの補修方法を説明する。まず、タイルを剥ぎ取るにあたって、図７に示すように、タイルを囲む周囲の目地部２０にカッター（図示せず）で切溝２１を入れる。切溝２１の深さは、タイル１０の背後に存在するモルタル（張付モルタル１４と下地モルタル１５）をほぼ貫通して躯体１６の近くまでに達していることが好ましい。次に、図８に示すように、補修タイル（浮きタイル１１）の表面に剥取用アタッチメント２２を接着剤で接着して固定する。次に、接着剤の乾燥後、アタッチメント２２にボルト２３を連結し、専用の剥取用加圧装置２４でボルト２３に引抜力２５を加え、剥ぎ取りに要した剥取力を計測し記録する。
【００２９】
例えば、タイル１８の全域又はほぼ全域に亘って広がる大きな浮きが存在する場合、タイル１８は実質的に剥ぎ取り力がゼロで簡単に剥ぎ取ることができる。しかし、剥取力がゼロでない場合、一般には、図９に示すように、タイル１１はその背後にモルタル２６が付着した状態で剥ぎ取られる。そして、躯体側には、タイル１０よりも大きなタイル跡（ボイド）２７が形成される。また、浮きの位置によってモルタルの分離位置が異なり、一部のモルタル２６’は躯体に付着したまま残る。したがって、補修にあたっては、後に塗布される接着剤と躯体との接着力を確保するために、モルタル２６’を除去して躯体表面を綺麗に清掃することが好ましい。
【００３０】
次に、図１０（ａ）に示すように、躯体側分離面に接着剤２８を塗布する。接着剤としては、セメダイン株式会社から「タイルエース」の商品名で提供されている陶磁器タイル用のシリコーン樹脂系接着剤が好適に利用できる。接着剤に代えてモルタルを充填材として使用してもよい。
【００３１】
次に、図１０（ｂ）に示すように、接着剤２８の上に中間タイル２９を張り付ける。中間タイル２９は、タイル跡２７を充填するもので、タイル１０の大きさに応じた縦横寸法のものが用意される。また、厚さの異なる複数の中間タイル２９が用意し、タイル跡２７の深さに応じて適当な厚みの中間タイルを選択してもよい。なお、中間タイル２９と接着剤２８との接着力、また、中間タイル２９とその上に塗布される接着される接着剤３０との接着を良好に保つために、図１１に示すように、中間タイル２９の表面又は裏面若しくは両面にタイル裏足３２，３３又はそれに相当する突起又は窪み（突条、溝状、所定の間隔をあけて格子状に点在する突起又は窪み）を形成してもよい。また、中間タイル２９の表面と裏面に裏足３２，３３を設ける場合、それら裏足３２，３３の位置を違えてもよいし、補修された状態で中間タイル表面側（補修タイル側）裏足３３が補修タイル裏足間（裏足３４と裏足３４の間）に入るようにしてもよい。
【００３２】
次に、図１０（ｃ）に示すように、中間タイル２９の上に接着剤３０を塗布する。接着剤３０は、接着剤２８と同じであってもよい。
【００３３】
次に、図１０（ｃ）、（ｄ）に示すように、補修タイル３１の裏面に接着剤３２を塗布し、接着剤３２を塗布した補修タイル３１を中間タイル２９の上に貼り付ける。接着剤３２は、接着剤２８と同じであってもよい。ただし、補修タイル３１の背面に接着剤３２を塗布することは必須ではない。
【００３４】
最後に、タイル２９，３１の周囲の切溝２１に接着剤３４を充填する。接着剤３４は、接着剤２８と同じであってもよい。
【００３５】
このようにして補修によってタイルが交換されることにより、浮き領域１２は、該領域の中央を縦方向と横方向にそれぞれ伸びる補強タイルベルト６１，６２（図１５参照）によって補強される。さらに具体的に説明すると、図５に示すように、タイルを剥ぎ取る場合、そのタイルを囲む周囲の目地部にカッターを入れて切溝２１が形成される。通常カッターには円盤形回転カッターが使用され、その場合、目地部の切溝２１は、隣接するタイルの間の目地部にも及ぶ。例えば、タイルＴ（１，７）の左側に形成された切溝の下端は、その下にあるタイルＴ（２，６）とＴ（２，７）の間の目地部にも延びる。そのため、補修対象タイルのタイル跡や目地部に充填された接着剤は、補修対象タイルに隣接するタイルをも補強する。したがって、一つのタイルを補強すると、そのタイルを囲む周囲のタイルを含む領域４０が補強されることになる（図５において四角形で囲まれた補強タイル群４０）。その結果、縦方向タイルライン５１のタイルを補修すると、図１２に示すように該縦方向タイルライン５１のタイルとその周辺のタイルを含めた一群のタイルが補強されて、補強タイル群４０が連続する縦方向の補強タイルベルト６１が形成される。同様に、横方向タイルライン５２のタイルを補修すると、図１３に示すように該横方向タイルライン５２のタイルとその周辺のタイルを含めた一群のタイルが補強されて、補強タイル群４０が連続した横方向の補強タイルベルト６２が形成される。そして、これら縦方向と横方向の補強タイルベルト６１，６２によって、図１４に示すように、浮き領域１２の中央を縦方向と横方向に横切る、十字状の補強タイルベルトが形成される。そして、これら補強タイルベルト６１，６２は、外壁タイルを躯体に固定するアンカーとして機能する。
【００３６】
また、図１５に示すように、浮き領域１２の上下左右区画領域５３〜５６の補修タイルもその周囲に位置するタイルと一緒になって補強タイルベルト６３として機能し、それぞれの区画領域５３〜５６のタイルを躯体に固定する。
【００３７】
このように、上述した実施形態の外壁タイル補修方法によれば、浮き領域１２に含まれるすべてのタイルを剥ぎ取る必要がない。例えば、上述の実施例では、図１５に示すように、浮き領域１２に含まれる１４３個（＝１１×１３）のタイルのうち、１７個のタイルを剥ぎ取って交換するだけで、浮き領域の耐力を十分に回復できる。そのため、実際に剥ぎ取るべきタイルの数は著しく減少するとともに、それに伴って廃材の発生が著しく減少する。
【００３８】
また、中間タイル２９を用いることにより、剥ぎ取ったタイルの後にできた空間（ボイド）の大部分をモルタル又は接着剤で埋める必要が無い。そのため、裏込モルタルや裏込接着剤の乾燥に要する時間が大幅に減少し、施工時間が短縮される。
【００３９】
さらに、縦方向と横方向のタイルラインに形成されるタイルベルトがアンカーとなって浮き領域を躯体に固定する。
【００４０】
なお、タイルの貼り方は複数（例えば、芋目地、破れ目地、フランス貼り、イギリス貼り、網代貼りなど）知られており、破れ目地のように上下方向にタイルが一列に連続しないものでは、ジグザグに伸びる縦方向タイルラインを想定すればよい。
【００４１】
また、以上の説明では、浮き領域の縦方向タイルラインと横方向タイルラインに沿ってタイルベルトを形成したが、縦横それぞれのタイルラインに沿ってのみタイルベルトを形成するだけでなく、縦方向の複数のタイルラインに沿って複数のタイルベルトを形成してもよいし、及び／又は、横方向の複数のタイルラインに沿って複数のタイルベルトを形成してもよいし、選択するタイルラインの順序は一端側から他端側（例えば、上から下、左から右、又はそれらの逆）に向けて順次タイルラインを選択してもよい。
【００４２】
さらに、縦方向と横方向のタイルラインによって区画された領域についても、それぞれの領域において、縦方向及び／又は横方向のタイルラインに沿ってタイルベルトを形成してもよい。
【符号の説明】
【００４３】
Ｗ：外壁
１０：タイル
１１：浮きタイル
１２：浮き領域
１３ａ、１３ｂ、１３ｃ、１３ｄ：浮き
１４：張付モルタル
１５：下地モルタル
１６：躯体
２０：目地部
２１：切溝
２２：アタッチメント
２３：ボルト
２４：引き抜き装置
２５：引抜力
２６：モルタル
２７：タイル跡（ボイド）
２８：接着剤（充填材）
２９：中間タイル
３０：接着剤
３１：補修タイル
３２，３３：裏足
４０：補強タイル群
５１：縦方向タイルライン
５２：横方向タイルライン
５３〜５６：区画領域
６１，６２，６３：タイルベルト
【図１】
2013129966.tif 000003
【図２】
2013129966.tif 000004
【図３】
2013129966.tif 000005
【図４】
2013129966.tif 000006
【図５】
2013129966.tif 000007
【図６】
2013129966.tif 000008
【図７】
2013129966.tif 000009
【図８】
2013129966.tif 000010
【図９】
2013129966.tif 000011
【図１０】
2013129966.tif 000012
【図１１】
2013129966.tif 000013
【図１２】
2013129966.tif 000014
【図１３】
2013129966.tif 000015
【図１４】
2013129966.tif 000016
【図１５】
2013129966.tif 000017